(57)【特許請求の範囲】
【請求項１】
全自動洗濯機の洗濯水を雨水タンクに回収して、送水ポンプを経由して、トイレのロータンクに給水するために、全自動洗濯機の洗濯水専用排水管の先端部は下水管に接続される所の中間に洗濯水自動回収容器設けて、洗濯水自動回収容器を経由して、下水管に接続され、洗濯水自動回収容器の内部は、洗濯機排水の洗濯水排水専用配管接続口の容器受け口となる容器入口側と、洗濯水自動回収容器のオーバーフロー水を出す、容器出口側となる下水管に接続され、洗濯水自動回収容器で洗濯水を回収するには、水中ポンプはネット付きフィルター容器の中に設置され、水中ポンプの出口側は洗濯水給水ホースで、雨水タンクに接続され水中ポンプで洗濯水が給水するが、洗濯水自動回収容器内部の水位を確認する、フロート水位スイッチが水面の高低差を、フロート水位スイッチが、水面が高い時は接となり、水面が低い時はフロート水位スイッチが断となり、水中ポンプはフローと水位スイッチが接で運転、フロート水位スイッチが断で水中ポンプを停止となるが、フロート水位スイッチ回路は雨水タンク内部の雨水タンクスイッチが接のときだけであり、雨水タンク水位が満水状態では雨水タンクスイッチは断となり、洗濯水自動回収容器内部のフロート水位スイッチが接でも、水中ポンプは停止となり、全自動洗濯機の洗濯水は、洗濯水自動回収容器のオーバーフロー水として、下水管に自然流下していくこと特徴とする洗濯機の洗濯水自動回収容器。
【請求項２】
請求項１に記載された洗濯水自動回収容器の内部に設置される、ネット付きフィルター容器内部は、水中ポンプが設置され、ネット自身は目の細かい繊維で出来ている物で、フィルター容器は骨組みされた内部空間要する形状となり、ネットでフィルター容器全体を密封され、ネット自身はフィルター容器より自由に取り換え可能にしたことを特徴とするネット付きフィルター容器。
【発明の詳細な説明】
【技術分野】
【０００１】  本発明は、水洗トイレの洗浄水として使用する水を、洗濯水を利用するため、全自動洗濯機の洗濯水を回収する、洗濯水自動回収容器に関するものである。
【背景技術】
【０００２】  従来の全自動洗濯機の洗濯水は排水され、下水管に流下して、再利用されることがなく、下水処理水となる。
【発明の開示】
【発明が解決しようとする課題】
【０００３】  前記の洗濯機の洗濯水は排水され、下水管に流下して下水道処理所で処理され排水となる、
本発明は洗濯水を再び生活用水として、トイレの洗浄水に活用することを提案する。
【課題を解決するための手段】
【０００４】  本発明は、上記目的を達成するために、全自動洗濯機の洗濯水を雨水タンクに回収して、送水ポンプを経由して、トイレのロータンクに給水するために、全自動洗濯機の洗濯水専用排水管の先端部は下水管に接続される所の中間に洗濯水自動回収容器設けて、洗濯水自動回収容器を経由して、下水管に接続され、洗濯水自動回収容器の内部は、洗濯機排水の洗濯水排水専用配管接続口の容器受け口となる容器入口側と、洗濯水自動回収容器のオーバーフロー水を出す、容器出口側となる下水管に接続され、洗濯水自動回収容器で洗濯水を回収するには、水中ポンプはネット付きフィルター容器の中に設置され、水中ポンプの出口側は洗濯水給水ホースで、雨水タンクに接続され水中ポンプで洗濯水が給水するが、洗濯水自動回収容器内部の水位を確認する、フロート水位スイッチが水面の高低差を、フロート水位スイッチが、水面が高い時は接となり、水面が低い時はフロート水位スイッチが断となり、水中ポンプはフローと水位スイッチが接で運転、フロート水位スイッチが断で水中ポンプを停止となるが、フロート水位スイッチ回路は雨水タンク内部の雨水タンクスイッチが接のときだけであり、雨水タンク水位が満水状態では雨水タンクスイッチは断となり、洗濯水自動回収容器内部のフロート水位スイッチが接でも、水中ポンプは停止となり、全自動洗濯機の洗濯水は、洗濯水自動回収容器のオーバーフロー水として、下水管に自然流下していくこと特徴とする洗濯機の洗濯水自動回収容器で、上記の課題を解決した。【０００５】  本発明は、請求項１に記載された目的を達成するために、洗濯水自動回収容器の内部に設置される、ネット付きフィルター容器内部は、水中ポンプが設置され、ネット自身は目の細かい繊維で出来ている物で、フィルター容器は骨組みされた内部空間要する形状となり、ネットでフィルター容器全体を密封され、ネット自身はフィルター容器より自由に取り換え可能にしたことを特徴とするネット付きフィルター容器で上記の課題を解決した。。
【発明の効果】
【０００６】  上述したように、洗濯機排水の洗濯水を再利用することで、水道水の節約となり、水資源を守ることが可能となる。
【図面の簡単な説明】
【０００７】
【図１】  洗濯水自動回収容器平面図
【図２】  洗濯水自動回収容器側面図
【図３】  洗濯水自動回収容器断面図
【図４】  洗濯機からトイレのロータンクまで設置構成図
【図５】  フロート水位スイッチ回路図
【符号の説明】
【０００８】１、洗濯水自動回収容器
２、容器入口側
３、容器出口側
４、フィルター容器
５、ネット
６、水中ポンプ
７、フロート水位スイッチ
８、洗濯水給水ホース
９、全自動洗濯機
１０、洗濯水排水専用管
１１、下水管
１２、雨水タンク
１３、雨水タンクスイッチ
１４、雨どい
１５、雨水給水ホース
１６、自動送水ポンプ
１７、送水ポンプフィルター
１８、水道管
１９、雨水管
２０、ロータンク
２１、便器
２２、切替装置
２３、ＡＣプラグ
２４、フロート
２５、水面
２６、オーバーフロー水
【発明を実施するための形態】
【０００９】  以下、本発明の実施の形態を図１−図５に基づいて説明する。
図１は、洗濯水自動回収容器平面図を示す。
洗濯水自動回収容器１は全自動洗濯機９の排水となった洗濯水を、洗濯水排水専用管１０で受けて、容器入口側２より洗濯水自動回収容器１の中に洗濯水を流下させる。
【００１０】  図２は、洗濯水自動回収容器側面図を示す。
排水となった洗濯水を容器入口側２より入り、洗濯水自動回収容器１が満水状態となると、オーバーフロー水２６を容器出口側３より出す、容器出口側３の先は下水管１１に接続される。
【００１１】図３、洗濯水自動回収容器断面図を示す。
洗濯水自動回収容器１に流下した洗濯水は、洗濯水ハフロート２４を浮かして、図５のフロート水位スイッチ７のスイッチ接点が黒丸側に接点が移動して、接となり水中ポンプ６が動作可能となりますが、雨水タンク１２が満水状態でない時は、水中ポンプ６は動作します、流下した洗濯水はネット５の繊維の細かい目の中を通過して、フィルター容器４の中に洗濯水は入り、水中ポンプ６が動作して、洗濯水は水中ポンプ６から、洗濯水給水ホース８より雨水タンク１２の中に洗濯水ははいります。
【００１２】洗濯水自動回収容器１の水中ポンプ６が停止状態時は、流下した洗濯水はオーバーフロー水２５となって、容器出口側３より洗濯水が出ていく、水中ポンプ６が停止状態になる時は、雨水タンク１２が満水状態の時で、図５の雨水タンクスイッチ１３のスイッチ接点が黒丸側移動したことにより、図５のフロートスイッチ回路が断となり、水中ポンプ６は停止状態となります、雨水タンク１２は洗濯水の受け入れを止めることが可能になります。
【００１３】図４は、洗濯機からトイレのロータンクまで設置構成図を示す。
全自動洗濯機９より排水された洗濯水は洗濯水排水専用管１０を流下して、洗濯水自動回収容器１にはいります、水中ポンプ６の動作により、洗濯水は洗濯水給水ホース８より雨水タンク１２に給水され、トイレ室内のロータンク２０が空になりますと、自動送水ポンプ１６が動作して、洗濯水は送水ポンプフィルター１７を通過して、雨水管１９を通りロータンク２０の中に給水されます、ロータンク２０の入口に切替装置２２は、雨水管１９と水道管１８のどちらかを選択できます、［特許第３４６３２７３同じ］、水道水が必要ときは手動操作で動かすことが可能です、洗濯水が必要な時も同じ用に切替絵が可能になります、ロータンク２０が満水になりますと、自動送水ポンプ１６が停止します。
【００１４】雨水タンク１２が満水状態になる時は、雨どい１４より雨水が雨水給水ホース１５より、雨水が雨水タンク１２に給水され、満水が可能になりこの時図５の雨水タンクスイッチ１３のスイッチ接点が黒丸側に移動して、図５の水中ポンプ６の回路が断となり雨水タンク１２の中に洗濯水は入ってこない。
【００１５】図５は、フロート水位スイッチ回路図を示す。
水中ポンプ６の配線の片側はＡＣプラグ２３に結線され、もう一方片側配線はフロート水位スイッチ７に結線されます、水中ポンプ６が動作する条件はフロート水位スイッチ７の容器側のフロート２４が浮いている時、スイッチ接点は黒丸側移動して、雨水タンク１２側が満水状態でない時は、フロートは下がってフロートの重さで雨水タンクスイッチ１３はスイッチ接点が白丸側に移動する、この２点の条件でＡＣプラグ２３に電気が入れば水中ポンプ６は動作する。
【００１６】水中ポンプ６が停止条件は、洗濯水自動回収容器１に洗濯水がないときで、フロート２４は下がったままで、フロート２４の重さで、フロート水位スイッチ７のスイッチ接点は白丸側に移動している、雨水タンク１２が満水状態では雨水タンクスイッチ１３のスイッチ接点が黒丸側に移動していれば、洗濯水自動回収集容器１の洗濯水があっても、なくても水中ポンプ６は停止となる。
【図１】
0005713258.tif 000002
【図２】
0005713258.tif 000003
【図３】
0005713258.tif 000004
【図４】
0005713258.tif 000005
【図５】
0005713258.tif 000006